(57)【特許請求の範囲】
【請求項１】
外枠と、前記外枠外へ回動できるように外枠の一方の側縁に軸支され、遊技盤が取り付けられる本体枠と、前記本体枠の回動自由端を前記外枠の他方の側縁に解除可能に結合するロック機構とを備える遊技機において、前記外枠の、前記他方の側縁の内周面を外方へ凹陥させて、凹陥した内周面に前記ロック機構を構成する一方のロック部材を設けるとともに、前記他方の側縁に金属製の一方の規制壁を設け、一方、前記本体枠に設けられてその外周面に沿って延びる金属製の取付基板に前記ロック機構を構成する他方のロック部材を設けるとともに、前記取付基板を略Ｌ字断面に成形して、前記本体枠の外周面に沿って位置する本体と当該本体から直角に屈曲して前記本体枠外周のフランジ部に沿ってその外周縁近傍まで延びる延在部とを前記取付基板に形成して、前記延在部を前記一方の規制壁の外側でこれに近接して前記本体枠の外周面に平行に立ち上げて他方の規制壁となし、前記一方および他方の規制壁が互いに当接することにより前記外枠の内周面が前記本体枠の外周面から離間する方向へ変形するのが規制されることを特徴とする遊技機。
【発明の詳細な説明】
【技術分野】
【０００１】
本発明は遊技機に関し、特に、外枠の外方へ回動可能に本体枠を外枠に取り付けた構造の遊技機において、本体枠を外枠に固定するロック機構を強制解除するような不正行為を有効に防止できるとともに、遊技盤の外径を広く確保でき、遊技領域を拡大できる遊技機の構造改良に関する。
【背景技術】
【０００２】
一般にパチンコ遊技機等は、図４の水平断面図に示すように、遊技施設に遊技機を組み込むための外枠１と、外枠１内に収納されて遊技盤３が取り付けられた本体枠２とを備えている。本体枠２は、ヒンジ４によって外枠１の側縁１１に軸支されて、外枠１外の前方（図４の下方）へ引き出し回動できるようになっており、これによって、遊技盤３の裏面側部品の保守等を容易に行うことができる。本体枠２の回動自由端２１と外枠１の側縁１２との間にはロック機構５が設けてあって、本体枠２が外枠１内に位置している状態で上記回動自由端２１を外枠１の側縁１２に結合している。このロック機構５としては例えば、図４に示すように、外枠側縁１２の内周面１ａに設けた取付基板５５に棒状のストライカ５１を立設するとともに、上記内周面１ａに対向する本体枠２の外周面２ａに設けた取付基板５３に、外枠１内への当該本体枠２の進入時に上記ストライカ５１を受け入れてこれと係合するラッチ板５２を設けたものが使用されている。
【０００３】
なお、特許文献１には、互いに当接する突起部と係合部を設けて、前面枠が本体枠に対して上方へ移動するのを規制することにより、鉤部材が係止片から外れてロックが解除されてしまうのを防止したパチンコ機の施錠装置が示されている。
【特許文献１】実公平７−１０７９７
【発明の開示】
【発明が解決しようとする課題】
【０００４】
ところで、上記従来の遊技機において、ロック機構５は前後方向の施錠を目的として構成されており、ロック機構５が設けられている領域の、互いに衝合する本体枠２外周のフランジ部２２の後面２２ａと外枠側縁１２の前面１ｂとの間からドライバ様の工具を差し込んで外枠１を外方へ拡げ、ストライカ５１をその軸方向へ移動させてラッチ板５２から抜き出して、ロックを強制解除するような不正行為がなされるおそれがあった。また、近年においては遊技領域内において大型の役物を設置する等のために遊技盤３の外径（横幅）を広く確保したいという要請が非常に強い。
【０００５】
そこで、本発明はこのような課題を解決するもので、外枠の幅厚を究極的に薄く形成したとしても、外枠を外方へ拡げてロック機構を強制解除するような不正行為を確実に防止できる遊技機を提供することを目的とし、終極的には遊技領域を構成する遊技盤の外径を広く確保することを目的とする。
【課題を解決するための手段】
【０００６】
上記目的を達成するために、本発明では、外枠（１）と、外枠（１）外へ回動できるように外枠（１）の一方の側縁（１１）に軸支され、遊技盤（３）が取り付けられる本体枠（２）と、本体枠（２）の回動自由端（２１）を外枠（１）の他方の側縁（１２）に解除可能に結合するロック機構（５）とを備える遊技機において、外枠（１）の、他方の側縁（１２）の内周面（１ｃ）を外方へ凹陥させて、凹陥した内周面（１ａ）にロック機構（５）を構成する一方のロック部材（５１）を設けるとともに、他方の側縁（１２）に金属製の一方の規制壁（５５３）を設け、一方、本体枠（２）に設けられてその外周面（２ａ）に沿って延びる金属製の取付基板（５３）にロック機構（５）を構成する他方のロック部材（５２）を設けるとともに、取付基板（５３）を略Ｌ字断面に成形して、本体枠（２）の外周面（２ａ）に沿って位置する本体と当該本体から直角に屈曲して本体枠（２）外周のフランジ部（２２）に沿ってその外周縁近傍まで延びる延在部（５３１）とを取付基板（５３）に形成して、延在部（５３１）を一方の規制壁（５５３）の外側でこれに近接して本体枠（２）の外周面（２ａ）に平行に立ち上げて他方の規制壁（５３２）となし、一方および他方の規制壁（５５３，５３２）が互いに当接することにより外枠（１）の内周面（１ａ）が本体枠（２）の外周面（２ａ）から離間する方向へ変形するのが規制される。
【０００７】
ロック機構がロックした状態で、ロック機構が位置する外枠部分と本体枠部分において、工具を差し込む等によって外枠を外方へ拡げ、外枠の内周面が本体枠の外周面から離間する外方へ外枠を変形させようとしても、規制壁が互いに当接することによって外枠の外方への変形は防止される。この結果、外枠を外方へ変形させてロック状態を強制解除する不正行為が確実に防止される。また、外枠としての通常機能を保持するものの、不正な外力を加えれば容易に変形させることができる程度（極限）にまで外枠の幅厚を薄く形成したとしても、本体枠側の規制壁と外枠側の規制壁とが互いに当接することによって外枠の外方への変形は防止される。外枠を最小限の幅厚とすることで、さらに遊技盤の外径を広く確保でき、この結果、遊技領域の拡大を実現することができる。また、ロック機構の取付基板は、その役割性質から、変形に強い強固な材質（金属等）を用いて成形されるものであるから、規制壁を取付基板と一体に形成することで外枠の変形に対する強度を効果的に確保することができるとともに、ロック部材の主要構造部分における変形に確実に対応できる。
【０００８】
上記外枠（１）側の規制壁（５５３）を、外枠（１）に設けられてロック機構（５）を構成するロック部材（５１）の取付基板（５５）に一体に形成することができる。これによれば、規制壁を取付基板に一体に形成したから、規制壁を別体に設けるのに比して製造・組付け工数が低減される。また、ロック部材の取付基板は、その役割性質から、変形に強い強固な材質（金属等）を用いて成形されるものであるから、規制壁を取付基板と一体に形成することで外枠の変形に対する強度を効果的に確保することができるとともに、ロック部材の主要構造部分における変形に確実に対応できる。
【００１０】
なお、上記カッコ内の符号は、後述する実施形態に記載の具体的手段との対応関係を示すものである。
【発明の効果】
【００１１】
以上のように、本発明の遊技機によれば、外枠を外方へ拡げてロック機構を強制解除するような不正行為を確実に防止することができる。また、外枠の幅厚を薄く形成することができるので、遊技盤の外径を広く確保することができ、遊技領域を拡大することができる。
【発明を実施するための最良の形態】
【００１２】
図１には遊技機の水平断面図を示す。基本構造は既に説明したものと同一で、同一部分には同一符号を付す。遊技機は外枠１と、外枠１内に収納された本体枠２を備えており、本体枠２には遊技盤３が取り付けられている。本体枠２はその側縁が、ヒンジ４によって外枠１の側縁１１に軸支されて、外枠１外の前方（図１の下方）へ引き出し回動できるようになっている。本体枠２の回動自由端２１と外枠１の側縁１２との間にはロック機構５が設けてあり、本体枠２が外枠１内に位置している状態で上記回動自由端２１を外枠１の他方の側縁１２に結合している。
【００１３】
ロック機構５は図２に示すように外枠側縁１２の、内周面１ｃからさらに外方へ段付きに凹陥させた内周面１ａに立設されたロック部材としての棒状ストライカ５１と、本体枠２の外周面２ａに設けられて外枠１内への本体枠２の進入時に上記ストライカ５１を受け入れてこれと係合するロック部材としてのラッチ板５２とを備えている。その詳細をさらに図３で説明する。なお、図３は、ロック機構５を設置した本体枠２の外周面を、図２のＡ矢印方向から見た斜視図で、外枠１を透視した状態のものである。
【００１４】
図３において、本体枠２の外周面２ａに沿って延びる取付基板５３（図３）が設けてある。取付基板５３は略Ｌ字断面に成形され（図２）、その本体から直角に屈曲して本体枠２の外周に形成されたフランジ部２２に沿って延びる延在部５３１を有している。そして、取付基板５３の本体に、係合凹所５２１（図３）を有するラッチ板５２と、ポール板５４とがそれぞれ軸部材５２２，５４１により回動可能に支持されて隣接して設けられている。一方、外枠１の内周面１ａには略Ｕ字形（図３）に成形された一定長の取付基板５５が設けられており、その両脚部５５１，５５２間に掛け渡された長板状の取付片５６の中央に、上記取付基板５３、すなわち本体枠２の外周面２ａに向けて上記ストライカ５１が立設されている。
【００１５】
図３は、本体枠２が外枠１内へ図３の下方から収納されて、ストライカ５１がラッチ板５２の係合凹所５２１内に相対進入しロックされた状態を示す。この状態では、ラッチ板５２の突起部５２３がポール板５４の斜面５４２に当接して、ラッチ板５２が図３の上方のロック解除方向へ戻り回動するのが規制されている。通常のロック解除操作においては、図略の操作機構でポール板５４を回動させて、ポール板５４の斜面５４２とラッチ板５２の突起部５２３との当接状態を解消することにより行う。
【００１６】
ここで、本実施形態では、図２、図３に示すように、取付基板５３の延在部５３１がフランジ部２２の外周縁近傍まで延びて、ここで、本体枠２の外周面２ａに平行に立ち上がって規制壁５３２となっている。一方、外枠１の内周面１ａに設けた取付基板５５は、本体枠２が進入する側の外枠１の開口縁に向けて直線状に延びて規制壁５５３となり、上記規制壁５３２の内側位置でこれに近接して位置している。
【００１７】
このような遊技機において、ロック機構がロックした状態で、当該ロック機構が設けられている領域の、互いに衝合する本体枠２側縁のフランジ部後面２２ａと外枠側縁１２の前面１ｂとの間からドライバ様の工具を差し込んで外枠１を外方へ拡げ、外枠１の内周面１ａが本体枠２の外周面２ａから離間する外方へ外枠１を変形させようとしても、規制壁５５３が規制壁５３２に当接することによって外枠１の外方への変形は防止される。この結果、外枠１を外方へ変形させることによってストライカ５１をその軸方向へ移動させてラッチ板５２の係合凹所５２１から抜き出すことはできず、ロック状態を強制解除する不正行為は確実に防止される。特に、本実施形態のような１点のみにおいて施錠するロック機構は、２点・３点式のロック機構に比べて、全体構成がコンパクトであり製造コストも低いというメリットを有するものの、外枠を外方に変形させることで強制解除するという不正には弱い（１点のみロック状態を解消すれば、本体枠が開閉可能になってしまう）という性質が挙げられるが、本発明を適用することで２点・３点式のロック機構に劣らない不正対策効果を実現し得る。
【００１８】
従来（特許文献１参照）一般的に、図２に示す外枠の内周面１ｃの延長線上に位置する面に、ストライカ５１の取付基板５５が取り付けられている。しかしながら、本発明の技術を適用することで不正な外力により外枠が外方に変形させられる危険性がないので、本実施例のように内周面１ｃよりも外側に位置する（凹陥させた）内周面１ａ、つまり幅厚の薄い部分面に、ストライカ５１の取付基板５５を取り付けることが可能となり、外枠の外周面１ｄ（市場規格）と内周面１ｃの距離Ｘと、外枠の外周面１ｄと内周面１ａの距離Ｙとの差Ｚだけ、遊技盤の外径の拡大を実現することができたといえる。
【００１９】
また、本実施形態によれば、外枠が外方へ変形することがないので、ストライカを最小限の長さで構成することができる。この結果、ロック機構の横幅を小さく構成でき、施錠装置全体としてもコンパクトになるので、遊技盤の外径をさらに拡大することも可能となる。
【００２０】
上記実施形態においては、ストライカ５１やラッチ板５２の取付基板５３，５５の一部に規制壁５３２，５５３を形成したが、規制壁を取付基板とは別体で設けるようにしても良い。また、規制壁５３２を規制壁５５３と対向する部分のみに設けても良いし、反対に規制壁５５３を規制壁５３２に対向させて外枠１の周縁に延伸させて設けるようにしても良い。また、本実施形態におけるロック機構は一例であり、外枠１を外方へ変形させると強制的にロック状態が解消されてしまう他の構造のロック機構（特許文献１に記載のタイプや、外枠１の背面に直接本体枠側のロック機構を係合させるタイプなど）を有する遊技機に対しても本発明が適用できることはもちろんである。なお、外枠１は木材で構成されていたが、その材質は特に限定されるものではない。
【図面の簡単な説明】
【００２１】
【図１】本発明の一実施形態を示す遊技機の水平断面図である。
【図２】本発明の一実施形態を示す遊技機のロック機構設置部の拡大断面図である。
【図３】本発明の一実施形態を示す遊技機のロック機構設置部の透視斜視図である。
【図４】従来の遊技機の水平断面図である。
【符号の説明】
【００２２】
１…外枠、１ａ…内周面、１１…一方の側縁、１２…他方の側縁、２…本体枠、２ａ…外周面、２１…回動自由端、３…遊技盤、５…ロック機構、５１…ストライカ（ロック部材）、５２…ラッチ板（ロック部材）、５３…取付基板、５３２…規制壁、５５…取付基板、５５３…規制壁。
【図１】
0004556036.tif 000002
【図２】
0004556036.tif 000003
【図３】
0004556036.tif 000004
【図４】
0004556036.tif 000005